(57)【特許請求の範囲】
【請求項１】
体の下に敷いて転がすことにより全身のマーサージができる枕であって、長手方向の三つの角が全て面取りされた面取部を有する略三角柱状の硬質ウレタンフォームからなる枕本体と、前記枕本体の任意の一つの面取部に設けられた低反発ウレタンフォームからなる頭置部と、前記頭置部が設けられた面取部を除く二つの面取部の一方に足のかかとが嵌合する二つの凹部とを備え、前記枕本体の長手方向の表面全周から両端面にかかるように滑り止め用のメッシュ地で覆い、さらに前記メッシュ地を覆うように前記枕本体の長手方向の表面全周から両端面にかかるようにレッグウォーマーを装着したことを特徴とするマッサージ枕
【発明の詳細な説明】
【技術分野】
【０００１】
本発明は、手軽に身体のマッサージができるマッサージ枕に関するものである。
【背景技術】
【０００２】
人の身体の各部にマッサージ効果を与えるマッサージ器には、手に持ってマーサージをしたい箇所に押し付ける小型のものから、一度に全身をマッサージできる椅子状、マット状の大型のものまで様々な形態のものがある。また、マッサージ機構にもモータを駆動源として機械的に動きを発生させるものや、空気の膨張・収縮を利用するものなど様々なものがある。
【０００３】
このような従来のマッサージ器のうち、小型でマッサージを必要とする身体の部分に当てて使用するものは、駆動源を有するものが多い。その一例として、特開２０１０−４６５２７号広報（以下「特許文献１」という。）が挙げられる。この発明は、枕の内部に流体セルを形成し、その流体セル内に流体の注入と排出を繰り返して首から肩にかけての部分を所定間隔で押圧刺激するものである。
【０００４】
また、特開平１０−２２５４９３号広報（以下「特許文献２」という。）には、枕本体にアーム部を設けてそのアーム部に足首を入れ、枕本体に設けられた振動体により足首にマッサージ効果を与えるマッサージ枕が提案されている。
【先行技術文献】
【特許文献】
【０００５】
【特許文献１】特開２０１０−４６５２７号広報
【特許文献２】特開平１０−２２５４９３号広報
【発明の概要】
【発明が解決しようとする課題】
【０００６】
しかしながら、特許文献１の発明は、マッサージを行える箇所が首から肩に限られている上に、流体の注入排出装置やその制御機が必要となる。また特許文献２の発明は、駆動源を有する振動体が必要となる。
【０００７】
そこで、本発明は、駆動源を必要とせずに全身がマッサージできるマッサージ枕を提供することを目的としている。
【課題を解決するための手段】
【０００８】
上記目的を達成するために、本発明に係るマッサージ枕は、角柱状の形状として使用する人が自由に転がしてマッサージができる構造とした。
【０００９】
すなわち、本発明は、体の下に敷いて転がすことにより全身のマーサージができる枕であって、長手方向の三つの角が全て面取りされた面取部を有する略三角柱状の硬質ウレタンフォームからなる枕本体と、前記枕本体の任意の一つの面取部に設けられた低反発ウレタンフォームからなる頭置部と、前記頭置部が設けられた面取部を除く二つの面取部の一方に足のかかとが嵌合する二つの凹部とを備え、前記枕本体の長手方向の表面全周から両端面にかかるように滑り止め用のメッシュ地で覆い、さらに前記メッシュ地を覆うように前記枕本体の長手方向の表面全周から両端面にかかるようにレッグウォーマーを装着したことを特徴とするマッサージ枕である。
【００１０】
本発明のマッサージ枕は略三角柱状の形状を有するので、体の下に敷いてマーサージをしたい箇所で転がすことにより、かかとから首筋まで全身のどの位置でもマーサージすることができる。すなわち、マッサージ枕の長手方向の角に体重の作用により適度に身体が押し付けられることでマーサージ効果を得ることができるものである。そしてマッサージ効果の強弱は、マッサージ枕の回転角度を変えることで調整することができる。強いマッサージ効果を得ようと思えば、マッサージ枕の角を立ててその上にマッサージしたい身体の部位を置けばよく、弱いマッサージ効果でよければマッサージ枕の角を少しねかせて、あるいはマッサージ枕の平面部を上にして使用すればよい。
【００１１】
また、本発明のマッサージ枕は、可撓性を有する素材からなる頭置部を備えるので、テレビ枕としても使用することができる。本発明のマッサージ枕の頭置部は低反発ウレタンフォームで構成されるので頭を置いても硬さは感じられない。その上、本発明のマッサージ枕は角柱状の形状を有するので、その上に頭を置いても耳をふさぐことがなく、テレビやラジオの音声を妨げることがない。
【００１２】
本発明のマッサージ枕は、略三角柱状の形状を有するので、身体と接触する部分が少なくマッサージしたい部位を効率よくマッサージすることができる。また、テレビ枕として使用するときには、安定した位置を保つことができる。
【００１３】
さらに本発明のマッサージ枕は、面取部に足のかかとが嵌合する二つの凹部を有するので、この部分に足のかかとや足首を入れることで、足のかかとや足首の側面までマッサージすることができる。全身をマッサージするときには、最初にこの凹部に足のかかとを置いてマッサージを始めるとよい。
【００１４】
さらに、枕本体に硬質ウレタンフォームを使用することで、軽量でありながら耐久性に優れたマッサージ枕を実現できる。また、低反発ウレタンフォームを頭置部に使用することで頭全体を柔らかく支えることができる。
【００１５】
そして、枕本体の表面を長手方向の表面全周から両端面にかかるように滑り止め用のメッシュ地で覆い、そのメッシュ地を覆うように市販のレッグウォーマーを長手方向の表面全周から両端面にかかるように装着して、外カバーとして使用することで、手軽に多様な色と素材のマッサージ枕を楽しむことができる。
【発明の効果】
【００１６】
本発明のマッサージ枕によれば、駆動源を必要とせずに全身をマッサージすることができる。
【図面の簡単な説明】
【００１７】
【図１】本発明の一実施形態を示す斜視図である。
【図２】本発明の他の実施形態を示す側面図である。
【図３】本発明の使用例（足部）の説明図である。
【図４】本発明の使用例（全身）の説明図である。
【発明を実施するための形態】
【００１８】
以下、本発明の実施の形態について添付図面を参照して説明する。
【実施例】
【００１９】
図１〜図４は本発明の実施形態と使用例を示すものであって、図中、同一の符号を付した部分は同一物を表わしている。
【００２０】
図１は、本発明の一実施形態を示す斜視図である。
略三角柱状の枕本体１０の三つの角全てに面取部３０が設けられ、その一つの面取部に直方体状の頭置部２０が設けられている。枕本体１０は硬質ウレタンフォームを成形したものである。また頭置部２０は低反発ウレタンフォームを成形したものである。枕本体１０の全長は概ね４０ｃｍ〜６０ｃｍであり、略三角形の形状を有する横断面の外周の長さは４０ｃｍ〜５０ｃｍである。
【００２１】
そして、頭置部２０が設けられていない他の面取部３０に二つの凹部４０が設けられている。この凹部４０は大人の足のかかとが入り込むように上端が開口されている。凹部４０は枕本体１０の長手方向に４ｃｍ〜８ｃｍ開口されていることが好ましい。
【００２２】
図２は本発明のマッサージ枕の他の実施形態を示す側面図である。
略三角柱状の枕本体１０は滑り止め用のメッシュ地５２が端面にかかるように覆われており、その上にレッグウォーマー５０が同じく端面にかかるように装着されている。図２中央の丸い部分は、メッシュ地５２に覆われていない枕本体１０が表面に露出している部分である。
枕に合わせて作られる枕カバーとは異なり、レッグウォーマーは市販されている一般的なものでよく、好きな色や素材を選ぶことができる。
【００２３】
図３は本発明の使用例（足部）の説明図である。図の上から順次下に向かって本発明の枕の使用状態の変化を示している。
先ず、足のかかとをマッサージ枕１の凹部４０に入れて足首を左右前後に動かすところからマッサージを開始し、次に足でマッサージ枕１をほんの少し動かして足首のマッサージに移る（ＳＴＥＰ１）。
そして足でマッサージ枕１を転がしてマッサージ効果のあるところを探しながら（ＳＴＥＰ２）、ふくらはぎのマッサージに移る（ＳＴＥＰ３）。ふくらはぎでは、マッサージ枕１の平坦部や凸部をうまく使い分けて強弱の刺激を得るようにする。
【００２４】
次にひざ裏までマッサージ枕１を転がす（ＳＴＥＰ４）。リンパ線が痛いときには低反発ウレタンフォームからなる頭置部を用いて柔らかい刺激を得ることもできる。
続いて太もものマッサージに移る（ＳＴＥＰ５）。ここでは、両足を浮かせることで体重をかけてより強い刺激を得ることもできる。
【００２５】
図４は本発明の使用例（全身）を示す説明図である。
図４に示すようにマッサージ枕１は寝たままで、足のかかとから首筋に至るまで好きな位置で使用することができる。また頭を置くとテレビ枕としても使用することができ、耳を塞ぐこともなく、眼鏡を着用したままでもよい。  
【符号の説明】
【００２６】
１  マッサージ枕
１０  枕本体
２０  頭置部
３０  面取部
４０  凹部
５０  レッグウォーマー
５２  滑り止め用のメッシュ地
【図１】
0005928917.tif 000002
【図２】
0005928917.tif 000003
【図３】
0005928917.tif 000004
【図４】
0005928917.tif 000005